(57)【要約】【課題】天ぷら火災等を自動的かつ的確に消火できる簡易な構成の自動消火装置を提供する。【解決手段】レンジ近傍の壁の適所に設置されるハウジングに、可燃性素材の中空体に消火剤を充填して形成された消火剤充填部材の、下端に開口を有する収容部を設ける。前面上部に熱感知機構を設ける。熱感知機構に連動して落下する重り部材と重り部材受部を設ける。重り部材の落下に伴って重り部材と係合可能に形成された舌片を、収容部の開口を閉鎖可能に上下方向に回動可能に取り付ける。舌片を保持する保持手段と、舌片が下方に回動したときに所定角度で係止させる係止手段を設ける。熱感知機構によって異常な火炎による熱が感知されると、重り部材が落下して舌片と係合し、保持手段が解除され、舌片が下方に回動して所定角度で係止される。形成された斜面を消火剤充填部材が転がり落ちる。【選択図】  図３
2004236789.tif 000002
【特許請求の範囲】
【請求項１】
可燃性素材の中空体に消火剤を充填して形成された消火剤充填部材を収容可能な、下端に開口を有する収容部を備え、レンジ近傍の壁の適所に設置されるハウジングと、
このハウジングの前面上部に設けられた熱感知機構と、
この熱感知機構に連動して、前記ハウジング内の前記収容部とは異なる空間を落下する重り部材と、
この重り部材を受けるための重り部材受部と、
底部及び側部を有する断面略コ字状の舌片であって、前記重り部材の落下に伴って該重り部材と係合可能に形成され、かつ前記収容部の前記開口を閉鎖可能に該収容部の下方に上下方向に回動可能に取り付けられて、前記側部が前記ハウジング内に収容され、前記底部が前記ハウジングの前面の一部を構成する舌片と、
この舌片を前記ハウジングの前面の一部として保持する保持手段と、
前記舌片が下方に回動したときに該舌片を所定角度で係止させ、該舌片の前記底部によって、下方に傾斜する斜面を形成させる係止手段とを備え、
前記熱感知機構によって、異常な火炎による熱が感知されると、前記重り部材が落下し、該重り部材が前記舌片と係合することで、該舌片の前記保持手段が解除され、該舌片が下方に回動して前記係止手段によって所定角度で係止され、該舌片によって形成された下方に傾斜する斜面を、前記消火剤充填部材が転がり落ちることを特徴とする自動消火装置。
【請求項２】
前記熱感知機構が、前記ハウジング前面を貫通して突設された筒体と、この筒体の中に挿通され、前記重り部材に連結される線状部材と、この線状部材に連結され、前記筒体の先端に係止可能な可燃性の熱感知体とで構成され、異常な火炎による熱で前記熱感知体が燃えることで、該熱感知体の前記筒体先端への係止状態が解除されることを特徴とする請求項１に記載の自動消火装置。
【請求項３】
前記筒体の下面の少なくとも一部に切り欠き部を有し、かつ前記線状部材が可燃性であることを特徴とする請求項２に記載の自動消火装置。
【請求項４】
前記筒体が、ハウジング前面に対して水平よりも所定角度上向きに配設されることを特徴とする請求項２又は３に記載の自動消火装置。
【請求項５】
前記重り部材と前記舌片との係合が、該舌片の前記側部の上縁に該重り部材が当接することで達成されることを特徴とする請求項１〜４のいずれか１項に記載の自動消火装置。
【請求項６】
前記重り部材と前記舌片との係合が、該重り部材に突部を設け、この突部が該舌片の底部に当接することで達成されることを特徴とする請求項１〜４のいずれか１項に記載の自動消火装置。
【請求項７】
前記消火剤が、ハロン又はその代替品であることを特徴とする請求項１〜６のいずれか１項に記載の自動消火装置。
【請求項８】
前記ハウジングの外観を、果物又は野菜の形状又は絵柄に模して形成することを特徴とする請求項１〜７のいずれか１項に記載の自動消火装置。
【請求項９】
前記消火剤充填部材が、球形状又は円柱形状であることを特徴とする請求項１〜８のいずれか１項に記載の自動消火装置。
【請求項１０】
請求項１〜９のいずれか１項に記載の自動消火装置に使用可能な前記消火剤充填部材。
【発明の詳細な説明】
【０００１】
【発明の属する技術分野】
本発明は、自動消火装置に係り、特に家庭用のレンジで天ぷら火災等が発生した場合に自動的に消火し、或いは初期消火を補助することのできる自動消火装置に関する。
【０００２】
【従来の技術】
従来、家庭用レンジで天ぷら火災等が発生した場合に自動的に消火する方法としては、電力を利用したものが多く、電源を必要とし、かつ構成が複雑である。また、いずれも噴射ノズルから消火剤を噴射する方式なので、通常の手動式消火器同様に消火剤が散乱し、或いは天ぷら油等が飛び散って周辺を汚してしまうという欠点があった（特許文献１及び２参照）。
【０００３】
電力を使用しない自動消火器としては、天井から懸吊する支線を繋いだ消火剤入り袋を二つに開く容器に納め、針金で天井に保持拘束し、拘束手段にテグスを併用し、にぎり部に形状記憶合金を架けた鋏の刃をテグス仕掛けし、該可燃容器を天井に拘束し温度が常温から上昇すると形状記憶合金の応力で鋏がテグスを切断し容器が開き、消火剤入り袋が直下の発火点上に降下懸吊され、火炎熱で袋が開き消火剤が散布され消火する天井に取り付ける自動消火器が提案されている（特許文献３参照）。
【０００４】
【特許文献１】
実開昭６３−１７４８５８号公報
【特許文献２】
特開平６−２５４１７５号公報
【特許文献３】
実開平８−１６１号公報
【０００５】
【発明が解決しようとする課題】
しかし、上記実開平８−１６１号公報に示される自動消火器は、天井に取り付ける構成なので、最近のシステムキッチン等で汎用されているレンジフードが設けられている場合には不向きである。また、各種機能部材が露出して設けられているので、油等で汚れて硬化してしまう可能性があり、その場合には、消火剤入り袋を収納した容器が開かないことも想定される。さらに、実際の天ぷら火災等の場合には、火炎によって煽られてしまい、消火剤入り袋が天ぷら鍋等の発火点上に的確に降下懸吊されないことも考えられる。
【０００６】
本発明は、上述の課題を解決するために提案されたもので、その目的は、電力を使用しない簡単な構成であり、的確に天ぷら火災等を消火でき、かつ消火後に周辺を汚すことのない自動消火装置を提供することである。
【０００７】
【課題を解決するための手段】
上記目的を達成するために、本発明のうち請求項１に記載の自動消火装置は、可燃性素材の中空体に消火剤を充填して形成された消火剤充填部材を収容可能な、下端に開口を有する収容部を備え、レンジ近傍の壁の適所に設置されるハウジングと、
このハウジングの前面上部に設けられた熱感知機構と、
この熱感知機構に連動して、前記ハウジング内の前記収容部とは異なる空間を落下する重り部材と、
この重り部材を受けるための重り部材受部と、
底部及び側部を有する断面略コ字状の舌片であって、前記重り部材の落下に伴って該重り部材と係合可能に形成され、かつ前記収容部の前記開口を閉鎖可能に該収容部の下方に上下方向に回動可能に取り付けられて、前記側部が前記ハウジング内に収容され、前記底部が前記ハウジングの前面の一部を構成する舌片と、
この舌片を前記ハウジングの前面の一部として保持する保持手段と、
前記舌片が下方に回動したときに該舌片を所定角度で係止させ、該舌片の前記底部によって、下方に傾斜する斜面を形成させる係止手段とを備え、
前記熱感知機構によって、異常な火炎による熱が感知されると、前記重り部材が落下し、該重り部材が前記舌片と係合することで、該舌片の前記保持手段が解除され、該舌片が下方に回動して前記係止手段によって所定角度で係止され、該舌片によって形成された下方に傾斜する斜面を、前記消火剤充填部材が転がり落ちることを特徴とする。
【０００８】
ここで、「レンジ近傍の壁の適所」とは、天ぷら火災等によって本発明の自動消火装置の熱感知機構が適切に作動し、かつ舌片から転がり落ちる消火剤充填部材が天ぷら鍋等の中に的確に入るような位置を指す。
舌片が、「重り部材の落下に伴って該重り部材と係合可能」とは、重り部材が作動前の状態で保持されているときは、舌片と重り部材は係合せず、重り部材が落下すると、係合するようになることを意味する。例えば、舌片の側部及び／又は底部が下方に向かうに従い、重り部材の落下空間に近づくような傾斜部を有するように舌片を形成することで達成することができる。
【０００９】
「舌片をハウジングの前面の一部として保持する保持手段」は、「重り部材が舌片と係合すること」で解除される必要があり、例えば、マグネット等を利用することができる。
「舌片が下方に回動したときに該舌片を所定角度で係止させ、該舌片の底部によって、下方に傾斜する斜面を形成させる係止手段」としては、例えば、該舌片の底部が当接することで、所定角度で係止させるように、ハウジングの下端に適切な角度で突設された剛性部材を採用することができる。
【００１０】
このように、電力を利用せずに重りの落下によって作動する構成なので、簡易であり、かつ電力が不要である。壁に設置する構成なので、天井に設置する場合に比し、取り付け及び／又は取り外し、掃除等がし易く便利である。消火剤充填部材、重り部材等がハウジング内に収容される構成なので、これら各部材を油汚れ等から保護することができる。また、舌片の底部によって形成される斜面を消火剤充填部材が転がり落ちる構成であり、かつ舌片に側部が設けられているので、消火剤充填部材が適切に案内されて的確に天ぷら鍋等の中に入る。また、消火剤充填部材が天ぷら鍋内に落下する際に、火炎によって可燃性素材の中空体が燃えて消火剤が散布されるので、消火剤を噴射する場合と異なり、消火剤が散乱し、或いは天ぷら油等が飛び散って周辺を汚してしまうことがない。消火剤の使用期限が過ぎた場合には、消火剤充填部材を交換するだけでよく、維持管理が簡便である。なお、ハウジング上部に蓋体を設けると、各種機能部材をほこり等から保護することができ、さらに好適である。
【００１１】
ここで、熱感知機構は、重り部材を落下させる機構であればいずれの構成でもよいが、請求項２に記載の構成とすることができる。すなわち、請求項２に記載の発明は、請求項１に記載の自動消火装置において、前記熱感知機構が、前記ハウジング前面を貫通して突設された筒体と、この筒体の中に挿通され、前記重り部材に連結される線状部材と、この線状部材に連結され、前記筒体の先端に係止可能な可燃性の熱感知体とで構成され、異常な火炎による熱で前記熱感知体が燃えることで、該熱感知体の前記筒体先端への係止状態が解除されることを特徴とする。
【００１２】
ここで「筒体の先端に係止可能な可燃性の熱感知体」としては、筒体の内径より大きい外径を有し、重り部材を支えるのに十分な程度に剛性かつ可燃性の素材で形成された中空体、例えば、釣り用の浮きのようなものを採用することができる。
このような構成としたので、通常のときは、熱感知体が筒体の先端に係止され、線状部材で連結された重り部材が保持されている。そして、天ぷら火災のような異常な火炎による熱で熱感知体が燃えると、係止状態が解除され、線状部材に連結された重り部材が落下する。
【００１３】
請求項３に記載の発明は、請求項２に記載の自動消火装置において、前記筒体の下面の少なくとも一部に切り欠き部を有し、かつ前記線状部材が可燃性であることを特徴とする。このような構成にすると、熱感知体が燃える前又は燃えると同時に線状部材が燃え、ひいては連結されている重り部材が落下する。従って、重り部材の作動を促進し、かつ確実にすることができる。
【００１４】
さらに、請求項４に記載のように、前記筒体を、ハウジング前面に対して水平よりも所定角度上向きに配設することができる。このような手段を講じると、重り部材が落下する際に、線状部材が筒体の下縁等に引っ掛かることなく、スムーズに重り部材が落下しうる。従って、本自動消火装置の作動を確実かつ迅速にすることができる。
【００１５】
ここで、舌片の保持手段を解除し、舌片を下方に回動させて下方に傾斜する斜面を形成させるための、重り部材と舌片との係合は、いずれの手段によって達成してもよいが、請求項５に記載の構成とすることができる。すなわち、請求項５に記載の発明は、請求項１〜４のいずれか１項に記載の自動消火装置において、前記重り部材と前記舌片との係合が、該舌片の前記側部の上縁に該重り部材が当接することで達成されることを特徴とする。
【００１６】
すなわち、舌片の側部が下方に向かうに従い、重り部材の落下空間に近づくような傾斜部を有するように舌片を形成することで、舌片の側部の上縁に重り部材を当接させることができる。このような構成によれば、舌片の側部上縁に、落下する重り部材が当接するので、重り部材の重さで舌片が下方に強く押し下げられ、ひいては舌片の保持手段が解除され、さらに舌片が下方に押し下げられる。なお、舌片の側部上縁の少なくとも重り部材が当接する部分にフランジを設け、重り部材が当接する面積を大きくすると、重り部材の効力が確実に発揮されるので好適である。
【００１７】
また、請求項６に記載のように、前記重り部材と前記舌片との係合が、該重り部材に突部を設け、この突部が該舌片の底部に当接することで達成される構成とすることができる。
すなわち、舌片の底部が下方に向かうに従い、重り部材の落下空間に近づくような傾斜部を有するように舌片を形成することで、舌片の底部に重り部材の突部を当接させることができる。このような構成によれば、舌片の底部に、落下する重り部材の突部が当接するので、重り部材の重さで舌片が下方に強く押し下げられ、ひいては舌片の保持手段が解除され、さらに舌片が下方に押し下げられる。なお、この場合は、重り部材受部に、突部を係止可能な切り欠きを設けることにより、重り部材を確実に受けることができ、好適である。
【００１８】
ここで、消火剤は、通常用いられているリン酸アンモニウム、硫酸アンモニウム等の適宜の消火剤を使用できるが、請求項７に記載の発明のように、ハロン又はその代替品を使用することができる。これら消火剤は消火効力が高いので、少量の薬剤及び／又は少数の消火剤充填部材で消火を達成することができる。また半永久的に使用できるので、消火剤充填部材の交換の手間を省くことができ、至便である。
【００１９】
また、請求項８に記載の発明のように、前記ハウジングの外観を、果物又は野菜の形状又は絵柄に模して形成することができる。例えば、イチゴ、リンゴ、レモン、スイカ等の果物、又はトマト、ピーマン等の野菜を模して形成することができる。このような手段を講じると、意匠的に優れ、本自動消火装置の主な購買層である主婦の需要を喚起することができる。
【００２０】
さらに、請求項９に記載の発明のように、消火剤充填部材を球形状又は円柱形状で形成することができる。このような手段を講じると、消火剤充填部材が転がり易く、消火を迅速に達成することができる。
【００２１】
請求項１０に記載の発明は、請求項１〜９のいずれか１項に記載の自動消火装置に使用可能な前記消火剤充填部材である。このように、消火剤充填部材自体を提供することで、一般の人でも容易に消火剤充填部材を適宜交換及び／又は補充することができ、本自動消火装置の維持管理が容易である。
【００２２】
【発明の実施の形態】
以下、図面を参照して本発明の実施の形態について詳細に説明する。
図１は、本発明の自動消火装置の設置状態を示す側面図である。図２は、本発明の一実施形態の外観を示し、（Ａ）が正面図、（Ｂ）が側面図である。図３は、その内部構造の説明図であり、（Ａ）が蓋体を除いた平面図、（Ｂ）が側断面図である。本自動消火装置１は、レンジ３０近傍の壁３１の適所に設置されるハウジング２を備える。ハウジング２は、後述する消火剤充填部材２０の収容部３を有する。この収容部３は、下端に開口３ａを有して形成されている。なお、本実施形態では、ハウジング２は鋼製である。
【００２３】
ハウジング２の前面上部には、熱感知機構４が設けられている。熱感知機構４は、ハウジング２の前面に貫通して突設された筒体５と、この筒体５の中を挿通され、後述する重り部材８に連結される線状部材６と、この線状部材６に連結された熱感知体７とで構成される。筒体５は、その下面に切り欠き部５ａを有し、この部分では線状部材６が露出されている。また、筒体５は、図２（Ｂ）に示されるように、ハウジング２の前面に対して水平よりも角度α上向きに配設されている。これは、重り部材８が落下するときに線状部材６が筒体５の下縁５ｂに引っ掛かかることなく、迅速に作動させるためである。また、重り部材８の効果を高めることもできる。角度αとしては、例えば１０°程度を採用することができる。なお、筒体５をハウジング２の前面に対して水平に配設してもよい。
【００２４】
線状部材６は、可燃性の丈夫な素材で形成され、例えば、プラスチック製の細いチェーン、建築用のビニル製水糸等を使用することができる。線状部材６には、熱感知体７が連結されている。この熱感知体７は、重り部材８を支えるのに十分な程度に剛性かつ可燃性の素材で形成され、図３（Ａ）に示されるように、筒体５の内径ｄ１よりも大きい外径ｄ２を有する中空体であり、筒体５の先端５ｃに係止されている。
【００２５】
線状部材６には、重り部材８が連結されている。この重り部材８は、ハウジング２内の消火剤充填部材２０の収容部３とは異なる空間２ａを落下するように設けられている。そして、下方には、落下時に重り部材８を受けるための重り部材受部９が設けられている。
【００２６】
ハウジング２の前面には、断面略コ字状の舌片１０が配設されている。この舌片１０は、底部１１と側部１２とを有して形成され、収容部３の開口３ａを閉鎖可能に収容部３の下方に蝶番１３を介して上下方向に回動可能に取り付けられ、通常は、底部１１がハウジング２の前面の一部を構成している。そして、重り部材８が落下すると、側部１２の上縁１２ａ（図３及び図４（Ａ）参照）に重り部材８が当接し、舌片１０が下方に押し下げられる構成になっている。ここで、図４（Ｂ）に示されるように、側部１２の上縁にフランジ１２ｂを設けて重り部材８の当接する面積を広くすると、重り部材８の効果を高めることができる。
【００２７】
図４に示されるように、舌片１０の側部１２の適所には、舌片１０をハウジング２の前面の一部として保持するためのマグネット１４が配設されている。このマグネット１４が、請求項１に記載の保持手段に相当する。ハウジング２が鉄鋼以外の素材で形成されている場合は、ハウジング２の内面の対応箇所に鋼製部材を設けることにより（図示せず）、同様に機能させることができる。また、保持手段はマグネットに限定されず、重り部材８により舌片１０が押下されることで解除されるいずれの構成でもよい。例えば、側部１２の適所に窪み部を設け、かつハウジング２の内面の対応箇所にスプリングを設け、このスプリングの付勢力で舌片１０を保持する構成とすることができる（図示せず）。
【００２８】
そして、ハウジング２の下端には、舌片１０を所定角度で係止させるための係止部材１５が突設されている。所定角度は、図１に示されるように、本自動消火装置１が作動して舌片１０が押下されたときに、消火剤充填部材２０が転がり易く、かつ天ぷら鍋３２の中に的確に入るような角度である。なお、この係止部材１５が、請求項１に記載の係止手段に相当する。しかし、係止手段はこれに限定されない。なお、ハウジング２の上端には、蓋体１６が開閉自在に設けられている。
【００２９】
消火剤充填部材２０は、図５に示されるような球形状（Ａ）又は円柱形状（Ｂ）の可燃性の中空体に消火剤を充填して形成されている。消火剤としては、リン酸アンモニウム、硫酸アンモニウム等、通常消火剤として用いられている薬剤を使用できる。また、ハロン又はその代替品のような薬剤も使用できる。この場合は、消火能力が高いので、少量の薬剤及び／又は少数の消火剤充填部材２０の使用で足りる。
【００３０】
本自動消火装置１は、図１に示されるように、レンジ３０近傍の壁３１の適所、すなわち、作動されたときに消火剤充填部材２０が天ぷら鍋３２の中に的確に入るような位置に設置される。特に、レンジフード３３の下方に設置すると、換気扇３４の吸引力により、天ぷら鍋３２から生じた火炎による熱を熱感知体７及び／又は線状部材６が感知し易くなり、より迅速に本自動消火装置１が作動するので好適である。
【００３１】
このように設置された自動消火装置１は、以下のように作動する。
すなわち、天ぷら鍋等から生じた火炎の熱により熱感知体７及び／又は線状部材６が燃えると、重り部材８は支えがなくなるので、その自重により落下する。そして、重り部材８が舌片１０の側部１２の上縁１２ａに当接する。落下する重り部材８に舌片１０が下方に強く押下されると同時に、マグネット１４による保持が解除され、さらに舌片１０が下方に傾斜する（図６参照）。それによって、消火剤充填部材２０が下方に転がり、天ぷら鍋３２の中に落下する。消火剤充填部材２０を形成する中空体が燃えて中に充填されている消火剤が散布され、火炎が消火される。その間に、重り部材８は、重り部材受部９内に受けられる。なお、本自動消火装置と警報器を連動させ、或いは警報器を別途に設けると、火災の発生を家人に迅速に知らせることができ、好適である。
【００３２】
なお、本実施形態で示した各構成は、本発明の範囲内で種々変更できるものであり、例えば、重り部材８と舌片１０との係合は、図７に示されるような構成とすることができる。すなわち、重り部材８に凸部８ａを設け、この凸部８ａが舌片１０の底部１１と係合する構成とすることができる。この場合は、図７（Ｂ）に示されるように、重り部材受部９に、切り欠き部９ａを設けて突部８ａが合わされる構成とする。また、図８のように、重り部材８がさらにテーパ部８ｂを有する形状とすることもできる。この場合は、重り部材受部９は、図８（Ｂ）及び（Ｃ）に示されるように、凸部８ａ及びテーパ部８ｂに合わせる構成とする。
【００３３】
また、図９に示されるように、例えばイチゴの絵柄を模して外観を形成することができ、意匠的に優れ、購買意欲を惹起することができる。
【００３４】
【発明の効果】
以上説明したように、本発明の自動消火装置は、電力を使用しない簡単な構成である。また、消火剤充填部材を的確に火炎まで導くことができるので、天ぷら火災等を迅速かつ確実に消火することができる。さらに、消火剤充填部材が天ぷら鍋等内に落下する際に火炎によって可燃性素材の中空体が燃えて消火剤が散布されるので、消火剤を噴射する場合と異なり、消火剤が散乱し、或いは天ぷら油等が飛び散って周辺を汚してしまうことがない。また、適宜消火剤充填部材を交換又は補充すればよく、維持管理が簡便である。さらに、壁に設置する構成なので、取り付け及び／又は取り外しが容易であり、掃除等もし易く便利である。
【図面の簡単な説明】
【図１】本発明の自動消火装置の設置状態を示す側面図である。
【図２】本発明の自動消火装置の一実施形態の外観を示し、（Ａ）が正面図、（Ｂ）が側面図である。
【図３】図２の自動消火装置の内部構造の説明図であり、（Ａ）が蓋体を除いた平面図、（Ｂ）が側断面図である。
【図４】舌片の構造を説明するための斜視図であり、（Ａ）が側部上縁にフランジのない場合、（Ｂ）が側部上縁にフランジを設けた場合を示す。
【図５】消火剤充填部材の形状を示す斜視図であり、（Ａ）が球形状、（Ｂ）が円柱形状を示す。
【図６】図２の自動消火装置が作動した状態を示し、（Ａ）が正面図、（Ｂ）が側面図である。
【図７】他実施形態の重り部材の説明図であり、（Ａ）が重り部材の斜視図、（Ｂ）が重り部材受部を示す正面図、（Ｃ）が舌片との係合関係を示す側断面図である。
【図８】他実施形態の重り部材の説明図であり、（Ａ）が重り部材の斜視図、（Ｂ）が重り部材受部を示す正面図、（Ｃ）が舌片との係合関係を示す側断面図である。
【図９】他実施形態の外観を示す正面図である。
【符号の説明】
１      自動消火装置
２      ハウジング
３      収容部
３ａ    開口
４      熱感知機構
５      筒体
５ａ    切り欠き部
６      線状部材
７      熱感知体
８      重り部材
８ａ    突部
９      重り部材受部
１０    舌片
１１    底部
１２    側部
１２ａ  側部の上縁
１３    蝶番
１４    マグネット
１５    係止部材
２０    消火剤充填部材
３０    レンジ
３１    壁
【図１】
2004236789.tif 000003
【図２】
2004236789.tif 000004
【図３】
2004236789.tif 000005
【図４】
2004236789.tif 000006
【図５】
2004236789.tif 000007
【図６】
2004236789.tif 000008
【図７】
2004236789.tif 000009
【図８】
2004236789.tif 000010
【図９】
2004236789.tif 000011